(57)【要約】【課題】通信端末が接続された回線に基づいた最適な形式でコンテンツを取得する。【解決手段】公衆網１０５と無線ＬＡＮ１０６との複数の回線と接続可能である通信端末１０１から、現在使用している回線の回線種別を示す回線情報が、当該回線を介して通信端末１０１に接続されたサーバ１０２へ送信され、通信端末１０１から送信された回線情報が受信されたサーバ１０２にて、当該回線情報に基づいて回線種別が判断され、通信端末１０１から要求されたコンテンツが、判断された回線種別に応じたコンテンツ配信形式に加工されて通信端末１０１へ配信される。【選択図】図１
2007193564.tif 000002
【特許請求の範囲】
【請求項１】
異なる回線種別である複数の回線と接続可能である通信端末と、前記回線を介して前記通信端末と接続可能に構成され、前記通信端末から要求されたコンテンツを該通信端末へ配信するサーバとを有してなるコンテンツ取得システムにおいて、
前記通信端末は、該通信端末が使用している回線の回線種別を示す回線情報を前記サーバへ送信し、
前記サーバは、前記通信端末から送信されてきた回線情報に基づいて前記回線種別を判断し、前記コンテンツを、判断された回線種別に応じたコンテンツ配信形式に加工して前記通信端末へ配信することを特徴とするコンテンツ取得システム。
【請求項２】
請求項１に記載のコンテンツ取得システムにおいて、
前記サーバは、
前記通信端末から送信されてきた回線情報に基づいて前記回線種別を判断する回線種別判断手段と、
前記回線種別と前記コンテンツを配信する配信形式とを対応付けて格納するデータベースと、
前記回線種別に応じたコンテンツ配信形式を前記データベースから読み出すコンテンツ配信形式管理手段と、
前記コンテンツを、前記コンテンツ配信形式管理手段にて読み出されたコンテンツ配信形式に加工するコンテンツ加工手段とを有することを特徴とするコンテンツ取得システム。
【請求項３】
異なる回線種別である複数の回線と接続可能であり、使用している回線の回線種別を示す回線情報を送信する通信端末と前記回線を介して接続可能に構成され、前記通信端末から要求されたコンテンツを該通信端末へ配信するサーバであって、
前記通信端末から送信されてきた回線情報に基づいて前記回線種別を判断し、前記コンテンツを、判断された回線種別に応じたコンテンツ配信形式に前記コンテンツを加工して前記通信端末へ配信するサーバ。
【請求項４】
請求項３に記載のサーバにおいて、
前記通信端末から送信されてきた回線情報に基づいて前記回線種別を判断する回線種別判断手段と、
前記回線種別と前記コンテンツを配信する配信形式とを対応付けて格納するデータベースと、
前記回線種別に応じたコンテンツ配信形式を前記データベースから読み出すコンテンツ配信形式管理手段と、
前記コンテンツを、前記コンテンツ配信形式管理手段にて読み出されたコンテンツ配信形式に加工するコンテンツ加工手段とを有することを特徴とするサーバ。
【請求項５】
異なる回線種別である複数の回線と接続可能である通信端末と、前記回線を介して前記通信端末と接続可能に構成され、前記通信端末から要求されたコンテンツを該通信端末へ配信するサーバとを有してなるコンテンツ取得システムにおけるコンテンツ取得方法であって、
前記通信端末が、該通信端末が使用している回線の回線種別を示す回線情報を前記サーバへ送信する処理と、
前記サーバが、前記通信端末から送信されてきた回線情報に基づいて前記回線種別を判断する処理と、
前記サーバが、前記コンテンツを、判断された回線種別に応じたコンテンツ配信形式に加工する処理と、
前記サーバが、前記加工されたコンテンツを前記通信端末へ配信する処理とを有するコンテンツ取得方法。
【発明の詳細な説明】
【技術分野】
【０００１】
本発明は、ネットワークを介して所望のコンテンツをサーバから取得するためのコンテンツ取得システム、サーバ及びこれらを用いたコンテンツ取得方法に関する。
【背景技術】
【０００２】
従来より、通信端末を用いて、様々なコンテンツが格納されているサーバから、所望のコンテンツを取得しようとする場合、通信端末をサーバに接続されているネットワークへ接続してサーバからコンテンツを取得している。その場合、接続されるネットワークとしては、公衆網や無線ＬＡＮ等が挙げられる。
【０００３】
近年では、公衆網と無線ＬＡＮとの双方と接続可能な機能を有する通信端末が普及してきている。双方と接続可能な機能を有する通信端末においては、当該通信端末が存在する場所に基づいて、どちらのネットワークと接続されるかが選択され、選択されたネットワークへ接続されてサーバからコンテンツを取得することとなる。
【０００４】
また、通信端末に配信されるコンテンツの内容や形式に応じて、接続されるネットワークを選択する方法が考えられている（例えば、特許文献１参照。）。
【０００５】
また、コンテンツを取得するために用いられる通信端末の端末能力を特定するゲートウェイ装置を設け、ゲートウェイ装置にて特定された端末能力に適合したコンテンツをサーバにて選択して配信する方法が考えられている（例えば、特許文献２参照。）。
【特許文献１】特開２０００−２５３１８０号公報
【特許文献２】特開２００１−２３６２８８号公報
【発明の開示】
【発明が解決しようとする課題】
【０００６】
しかしながら、公衆網と無線ＬＡＮとでは、通信速度や料金体系が異なる。そのため、無線ＬＡＮに合わせて大容量のリッチコンテンツを配信すれば、公衆網利用時にはコンテンツ取得に大幅な時間を要してしまい、また、多額の通信料を課せられてしまうという問題点がある。一方、公衆網に合わせて小容量のテキスト中心のコンテンツを配信する場合、無線ＬＡＮによって簡単に受信できる画像／動画を含むリッチな大容量コンテンツを取得することができなくなってしまうという問題点がある。
【０００７】
また、特許文献１に記載された方法については、通信端末が１つのネットワークにしか接続できない状況においては、どんなコンテンツであっても配信形式が１つに固定されているため、上述した問題点と同様の問題点がある。
【０００８】
さらに、特許文献２に記載された方法においては、通信端末の端末能力を予め登録しておくゲートウェイが必要であり、また、当該通信端末において固定的なコンテンツしか配信されなくなってしまうという問題点がある。
【０００９】
本発明は、上述したような従来の技術が有する問題点に鑑みてなされたものであって、通信端末が接続された回線に応じた最適な形式でコンテンツを取得することができるコンテンツ取得システム、サーバ及びこれらを用いたコンテンツ取得方法を提供することを目的とする。
【課題を解決するための手段】
【００１０】
上記目的を達成するために本発明は、
異なる回線種別である複数の回線と接続可能である通信端末と、前記回線を介して前記通信端末と接続可能に構成され、前記通信端末から要求されたコンテンツを該通信端末へ配信するサーバとを有してなるコンテンツ取得システムにおいて、
前記通信端末は、該通信端末が使用している回線の回線種別を示す回線情報を前記サーバへ送信し、
前記サーバは、前記通信端末から送信されてきた回線情報に基づいて前記回線種別を判断し、前記コンテンツを、判断された回線種別に応じたコンテンツ配信形式に加工して前記通信端末へ配信することを特徴とする。
【００１１】
また、前記サーバは、
前記通信端末から送信されてきた回線情報に基づいて前記回線種別を判断する回線種別判断手段と、
前記回線種別と前記コンテンツを配信する配信形式とを対応付けて格納するデータベースと、
前記回線種別に応じたコンテンツ配信形式を前記データベースから読み出すコンテンツ配信形式管理手段と、
前記コンテンツを、前記コンテンツ配信形式管理手段にて読み出されたコンテンツ配信形式に加工するコンテンツ加工手段とを有することを特徴とする。
【００１２】
また、異なる回線種別である複数の回線と接続可能であり、使用している回線の回線種別を示す回線情報を送信する通信端末と前記回線を介して接続可能に構成され、前記通信端末から要求されたコンテンツを該通信端末へ配信するサーバであって、
前記通信端末から送信されてきた回線情報に基づいて前記回線種別を判断し、前記コンテンツを、判断された回線種別に応じたコンテンツ配信形式に前記コンテンツを加工して前記通信端末へ配信する。
【００１３】
また、前記通信端末から送信されてきた回線情報に基づいて前記回線種別を判断する回線種別判断手段と、
前記回線種別と前記コンテンツを配信する配信形式とを対応付けて格納するデータベースと、
前記回線種別に応じたコンテンツ配信形式を前記データベースから読み出すコンテンツ配信形式管理手段と、
前記コンテンツを、前記コンテンツ配信形式管理手段にて読み出されたコンテンツ配信形式に加工するコンテンツ加工手段とを有することを特徴とする。
【００１４】
また、異なる回線種別である複数の回線と接続可能である通信端末と、前記回線を介して前記通信端末と接続可能に構成され、前記通信端末から要求されたコンテンツを該通信端末へ配信するサーバとを有してなるコンテンツ取得システムにおけるコンテンツ取得方法であって、
前記通信端末が、該通信端末が使用している回線の回線種別を示す回線情報を前記サーバへ送信する処理と、
前記サーバが、前記通信端末から送信されてきた回線情報に基づいて前記回線種別を判断する処理と、
前記サーバが、前記コンテンツを、判断された回線種別に応じたコンテンツ配信形式に加工する処理と、
前記サーバが、前記加工されたコンテンツを前記通信端末へ配信する処理とを有する。
【００１５】
上記のように構成された本発明においては、異なる回線種別である複数の回線と接続可能である通信端末から、現在使用している回線の回線種別を示す回線情報が、当該回線を介して通信端末に接続されたサーバへ送信され、通信端末から送信された回線情報が受信されたサーバにて、当該回線情報に基づいて回線種別が判断され、通信端末から要求されたコンテンツが、判断された回線種別に応じたコンテンツ配信形式に加工されて通信端末へ配信される。
【００１６】
これにより、通信端末から要求されたコンテンツが、回線の回線種別に応じた配信形式に加工されて配信されるため、どの回線を使用しても無駄な時間や料金をかけることなく、また、使用している回線を有効に利用することができる。
【発明の効果】
【００１７】
以上説明したように本発明は、異なる回線種別である複数の回線と接続可能である通信端末から、現在使用している回線の回線種別を示す回線情報を、当該回線を介して通信端末に接続されたサーバへ送信し、通信端末から送信された回線情報が受信されたサーバにて、当該回線情報に基づいて回線種別を判断し、通信端末から要求されたコンテンツを、判断された回線種別に応じたコンテンツ配信形式に加工して通信端末へ配信する構成としたため、通信端末が接続された回線に基づいた最適な形式でコンテンツを取得することができる。
【発明を実施するための最良の形態】
【００１８】
以下に、本発明の実施の形態について図面を参照して説明する。
【００１９】
図１は、本発明のコンテンツ取得システムの実施の一形態を示す図である。
【００２０】
本形態は図１に示すように、通信端末１０１と、公衆網基地局１０３と、無線ＬＡＮアクセスポイント１０４と、公衆網１０５と、無線ＬＡＮ１０６と、サーバ１０２とから構成されている。
【００２１】
通信端末１０１は、コンテンツを取得しようとするクライアントが操作する通信用端末であり、公衆網１０５及び無線ＬＡＮ１０６に接続する機能を有する。公衆網基地局１０３は、通信端末１０１と公衆網１０５との間において通信を可能とする。無線ＬＡＮアクセスポイント１０４は、通信端末１０１と無線ＬＡＮ１０６との間において通信を可能とする。サーバ１０２は、公衆網１０５及び無線ＬＡＮ１０６に接続され、通信端末１０１へコンテンツを配信する。また、サーバ１０２には、通信端末１０１へ配信するコンテンツが予め格納されている。
【００２２】
図２は、図１に示したサーバ１０２の構成を示す図である。
【００２３】
図１に示したサーバ１０２は図２に示すように、受信部２０１と、回線種別判断部２０２と、コンテンツ配信形式管理部２０３と、コンテンツ配信形式データベース２０４と、コンテンツ加工部２０５と、ＲＳＳ（Rich Site Summary）データ管理部２０６と、ＲＳＳデータベース２０７と、送信部２０８とから構成されている。
【００２４】
受信部２０１は、図１に示した通信端末１０１から公衆網１０５または無線ＬＡＮ１０６を介して送信されてきた回線情報等のデータを受信する。回線種別判断部２０２は、通信端末１０１から送信されてきた回線情報に基づいて通信端末１０１によって使用されている回線の回線種別を判断する。コンテンツ配信形式管理部２０３は、コンテンツ配信形式データベース２０４に予め格納された情報を管理する。コンテンツ配信形式データベース２０４に予め格納された情報については、後述する。コンテンツ加工部２０５は、通信端末１０１へ配信するコンテンツを最適な配信形式に加工する。ＲＳＳデータ管理部２０６は、ＲＳＳデータベース２０７に予め格納されたＲＳＳデータを管理する。送信部２０８は、コンテンツ加工部２０５にて加工されたコンテンツを公衆網１０５または無線ＬＡＮ１０６を介して通信端末１０１へ送信する。
【００２５】
図３は、図２に示したコンテンツ配信形式データベース２０４に予め格納された情報の構成を示す図である。
【００２６】
図２に示したコンテンツ配信形式データベース２０４に予め格納された情報の構成は図３に示すように、通信端末１０１が使用している回線の回線種別とコンテンツを配信するためのコンテンツ配信形式とが対応付けられて予め格納されている。ここでは、回線種別が公衆網１０５である場合、コンテンツ配信形式としてテキスト形式が対応付けられて格納されている。また、回線種別が無線ＬＡＮ１０６である場合は、コンテンツ配信形式として色やスタイルが適用されたリッチテキスト、画像／動画形式が対応付けられて格納されている。
【００２７】
以下に、上記のように構成されたコンテンツ取得システムにおけるコンテンツ取得方法について説明する。
【００２８】
図４は、図１に示したコンテンツ取得システムにおけるコンテンツ取得方法を説明するためのフローチャートである。
【００２９】
まず、通信端末１０１が回線に接続される時に、通信端末１０１にて通信に使用している回線の回線種別が回線情報としてサーバ１０２へ送信される。この回線情報とは、使用している回線が公衆網１０５と無線ＬＡＮ１０６とのどちらであるかの回線種別を示す情報であり、特にそのフォーマットについては規定しない。
【００３０】
その後、所望のコンテンツ取得リクエストが、通信端末１０１から公衆網１０５または無線ＬＡＮ１０６を介してサーバ１０２へ送信される（ステップＳ１）。このコンテンツ取得リクエストとは、所望のコンテンツが認識できる情報であれば良く、特にフォーマットについては規定しない。
【００３１】
通信端末１０１から送信された回線情報及びコンテンツ取得リクエストが、公衆網１０５または無線ＬＡＮ１０６を介してサーバ１０２の受信部２０１にて受信されると（ステップＳ２）、通信端末１０１によって使用されている回線の回線種別が公衆網１０５と無線ＬＡＮ１０６とのどちらであるかが回線種別判断部２０２にて判断される（ステップＳ３）。
【００３２】
その後、回線種別判断部２０２にて判断された回線種別に基づいて、コンテンツ配信形式管理部２０３によってコンテンツ配信形式データベース２０４に予め格納されている回線種別に対応付けられたコンテンツ配信形式が読み出される。
【００３３】
具体的には、回線種別判断部２０２にて、通信端末１０１によって使用されている回線の回線種別が公衆網１０５であると判断された場合、図３に示すように、コンテンツ配信形式管理部２０３によって、回線種別が公衆網１０５に対応付けられたコンテンツ配信形式がテキスト形式であることがコンテンツ配信形式データベース２０４から読み出され、通信端末１０１へのコンテンツ配信形式がテキスト形式に決定される（ステップＳ４）。
【００３４】
一方、回線種別判断部２０２にて、通信端末１０１によって使用されている回線の回線種別が無線ＬＡＮ１０６であると判断された場合、図３に示すように、コンテンツ配信形式管理部２０３によって、回線種別が無線ＬＡＮ１０６に対応付けられたコンテンツ配信形式がリッチテキスト、画像／動画形式であることがコンテンツ配信形式データベース２０４から読み出され、通信端末１０１へのコンテンツ配信形式がリッチテキスト、画像／動画形式に決定される（ステップＳ５）。
【００３５】
また、通信端末１０１から送信され、公衆網１０５または無線ＬＡＮ１０６を介して受信部２０１にて受信されたコンテンツ取得リクエストは、受信部２０１からＲＳＳデータ管理部２０６へ出力される。ＲＳＳデータ管理部２０６に入力されたコンテンツ取得リクエストに基づいてＲＳＳデータ管理部２０６にてＲＳＳデータベース２０７に予め格納されているＲＳＳデータが取得される（ステップＳ６）。
【００３６】
そして、コンテンツ加工部２０５にて、ＲＳＳデータ管理部２０６にて取得されたＲＳＳデータが、コンテンツ配信形式管理部２０３にて決定された配信形式に加工される（ステップＳ７）。
【００３７】
その後、コンテンツ加工部２０５にて通信端末１０１が使用している回線の回線種別に対応付けられた配信形式に加工されたコンテンツが送信部２０８から送信される（ステップＳ８）。
【００３８】
送信部２０８から送信されたコンテンツは、公衆網１０５または無線ＬＡＮ１０６を介して通信端末１０１にて受信される（ステップＳ９）。
【００３９】
なお、本形態においては、通信端末１０１によって使用される回線の回線種別が公衆網１０５である場合、コンテンツ配信形式はコンテンツ取得のための通信に費やす時間が少ない小容量のテキスト形式となる。また、通信端末１０１によって使用される回線の回線種別が無線ＬＡＮ１０６である場合は、コンテンツ配信形式は通信料が定額で無線ＬＡＮの高速通信の利点を活かした大容量のリッチテキスト、画像／動画形式となる。回線種別とコンテンツ配信形式との対応付けは、これらの対応付けに限らず、配信されるコンテンツの容量や構成、回線の通信速度や料金体系に応じて、それらに最適な回線種別とコンテンツ配信形式との対応付けであっても良い。
【００４０】
以上の処理により、通信端末１０１は、使用している回線の回線種別に応じた配信形式で所望のコンテンツを取得することができるため、同一のコンテンツを異なる状況で取得する場合であってもその状況に応じた最適なコンテンツ取得が可能となる。
【図面の簡単な説明】
【００４１】
【図１】本発明のコンテンツ取得システムの実施の一形態を示す図である。
【図２】図１に示したサーバの構成を示す図である。
【図３】図２に示したコンテンツ配信形式データベースに予め格納された情報の構成を示す図である。
【図４】図１に示したコンテンツ取得システムにおけるコンテンツ取得方法を説明するためのフローチャートである。
【符号の説明】
【００４２】
１０１    通信端末
１０２    サーバ
１０３    公衆網基地局
１０４    無線ＬＡＮアクセスポイント
１０５    公衆網
１０６    無線ＬＡＮ
２０１    受信部
２０２    回線種別判断部
２０３    コンテンツ配信形式管理部
２０４    コンテンツ配信形式データベース
２０５    コンテンツ加工部
２０６    ＲＳＳデータ管理部
２０７    ＲＳＳデータベース
２０８    送信部
【図１】
2007193564.tif 000003
【図２】
2007193564.tif 000004
【図３】
2007193564.tif 000005
【図４】
2007193564.tif 000006